(57)【特許請求の範囲】
【請求項１】
商用電源にスイッチ回路を介して接続される電気機器と、該電気機器に２本の通信線を介して信号接続される操作装置とを有し、前記電気機器には前記スイッチ回路を介して前記商用電源に接続される電源回路と、前記通信線を介して前記操作装置と信号の送受信を行う通信回路と、前記操作装置側から前記スイッチ回路側に加えられる信号に応じて該スイッチ回路を作動させ前記商用電源と前記電源回路との接続と遮断とを行うラッチリレー回路と、前記電源回路の前記商用電源との接続が遮断されているかどうかを検出する電源遮断検出回路とを有し、前記操作装置には前記通信線を介して前記電気機器と信号の送受信を行う通信回路と、前記電気機器の前記商用電源との接続と遮断とを前記ラッチリレー回路に操作信号を加えて操作する電源スイッチと、前記商用電源と前記電源回路とが接続されているときに該電源回路と前記通信線とを介して前記商用電源の電力を充電する機能を備えた蓄電タイプの電源と、該蓄電タイプの電源の電圧を検出する電圧検出回路とが設けられており、前記操作装置の前記電源スイッチにより前記電気機器の電源オフ操作が行われたときには該電源オフ操作信号を前記通信線を介して前記操作装置から前記電気機器の前記ラッチリレー回路に加え、該ラッチリレー回路によって前記電源回路の前記商用電源との接続を遮断することにより該電気機器の待機電力をゼロとし、該電気機器の前記商用電源との接続遮断中に前記操作装置の前記電源スイッチによって前記電気機器の電源オン操作が行われたときと前記電圧検出手段により検出される前記蓄電タイプの電源の電圧が予め定められた設定値以下に低下したときには、前記蓄電タイプの電源からの電力を前記通信線を介して前記操作装置から前記電気機器に供給して該電気機器の前記電源回路と前記商用電源との接続を前記操作装置側の蓄電タイプの電源からの電力によって復帰させる電源復帰回路が設けられていて、前記電気機器は前記操作装置側から供給される蓄電タイプの電源からの電力によって前記ラッチリレーを作動させて前記電気機器の電源回路と前記商用電源との接続を復帰させる回路構成を有しており、前記電気機器と前記操作装置のうち回路内部の電源は前記操作装置のみに前記蓄電タイプの電源として設けられ、前記電気機器は回路内部に電源をもたない回路構成と成していることを特徴とする操作システム。
【請求項２】
電気機器側の通信線接続部は互いに極性が異なり、該極性を判別する極性判別回路と、該極性判別回路によって判別した極性に合わせて前記通信線を通して前記電気機器側に供給する電力の極性を切り替える極性切替回路とが操作装置に設けられていることを特徴とする請求項１記載の操作システム。
【請求項３】
電源復帰回路は、電気機器の商用電源との接続遮断中に、予め定められた設定時刻に蓄電タイプの電源からの電力を前記電気機器に供給して該電気機器の前記商用電源との接続を復帰させる機能と予め定められた設定期間経過毎に前記蓄電タイプの電源からの電力を前記電気機器に供給して該電気機器の前記商用電源との接続を復帰させる機能の少なくとも一方の機能を有することを特徴とする請求項１または請求項２記載の操作システム。
【請求項４】
電源スイッチは、電気機器の運転のオンオフを操作する運転スイッチと兼用のスイッチにより形成されていることを特徴とする請求項１または請求項２または請求項３記載の操作システム。
【請求項５】
電気機器には、手動によるスイッチ操作によってスイッチ回路をオンして電気機器の電源回路と商用電源との接続復帰を行う復帰スイッチが設けられていることを特徴とする請求項１乃至請求項４のいずれか一つに記載の操作システム。
【請求項６】
電気機器は内部に管路を有すると共に外部の管路に接続されていて、前記内部の管路と外部の管路の一方または両方の管路内の水の凍結防止運転を行う機能を備え、商用電源と電源回路との接続が遮断されている状態での凍結防止運転の動作時には、操作装置から蓄電タイプの電源の電力が電気機器に供給され前記商用電源と電源回路との接続が復帰されて、前記商用電源の電力によって前記凍結防止運転の動作が行われる構成と成していることを特徴とする請求項１乃至請求項５のいずれか一つに記載の操作システム。
【発明の詳細な説明】
【技術分野】
【０００１】
本発明は、商用電源に接続される電気機器（例えば給湯器等の熱源装置）と操作装置とを通信線を介して信号接続して形成される操作システムに関するものである。
【背景技術】
【０００２】
商用電源に接続されて用いられる電気機器において、節電のために、待機電力を削減することが重要とされている。この待機電源の削減のために、商用電源と電気機器との接続を遮断するためには、従来は、電気機器の電源プラグをコンセントから外すことや、電気機器本体に設けられた元電源のメカスイッチ（マスタースイッチ）をオフすることが行われている。
【先行技術文献】
【特許文献】
【０００３】
【特許文献１】特開２００６−２８８０２０号公報
【特許文献２】特開２００７−２４００１９号公報
【発明の概要】
【発明が解決しようとする課題】
【０００４】
しかしながら、給湯器を始めとする熱源機等の電気機器は屋外に設けられているものも多く、このような屋外に設けられている電気機器において、電気機器の電源プラグをコンセントから外す操作は面倒であり、また、機器本体にメカスイッチを設けても、そのスイッチをオフする操作が面倒であり、簡単な操作で商用電源との接続を遮断して待機電力を削減できるようにすることが望まれていた。
【０００５】
本発明は、上記課題を解決するためになされたものであり、その目的は、簡単な操作で待機電力削減を図ることができる操作システムを提供することにある。
【課題を解決するための手段】
【０００６】
本発明は上記目的を達成するために、次の構成をもって課題を解決する手段としている。すなわち、第１の発明は、商用電源にスイッチ回路を介して接続される電気機器と、該電気機器に２本の通信線を介して信号接続される操作装置とを有し、前記電気機器には前記スイッチ回路を介して前記商用電源に接続される電源回路と、前記通信線を介して前記操作装置と信号の送受信を行う通信回路と、前記操作装置側から前記スイッチ回路側に加えられる信号に応じて該スイッチ回路を作動させ前記商用電源と前記電源回路との接続と遮断とを行うラッチリレー回路と、前記電源回路の前記商用電源との接続が遮断されているかどうかを検出する電源遮断検出回路とを有し、前記操作装置には前記通信線を介して前記電気機器と信号の送受信を行う通信回路と、前記電気機器の前記商用電源との接続と遮断とを前記ラッチリレー回路に操作信号を加えて操作する電源スイッチと、前記商用電源と前記電源回路とが接続されているときに該電源回路と前記通信線とを介して前記商用電源の電力を充電する機能を備えた蓄電タイプの電源と、該蓄電タイプの電源の電圧を検出する電圧検出回路とが設けられており、前記操作装置の前記電源スイッチにより前記電気機器の電源オフ操作が行われたときには該電源オフ操作信号を前記通信線を介して前記操作装置から前記電気機器の前記ラッチリレー回路に加え、該ラッチリレー回路によって前記電源回路の前記商用電源との接続を遮断することにより該電気機器の待機電力をゼロとし、該電気機器の前記商用電源との接続遮断中に前記操作装置の前記電源スイッチによって前記電気機器の電源オン操作が行われたときと前記電圧検出手段により検出される前記蓄電タイプの電源の電圧が予め定められた設定値以下に低下したときには、前記蓄電タイプの電源からの電力を前記通信線を介して前記操作装置から前記電気機器に供給して該電気機器の前記電源回路と前記商用電源との接続を前記操作装置側の蓄電タイプの電源からの電力によって復帰させる電源復帰回路が設けられていて、前記電気機器は前記操作装置側から供給される蓄電タイプの電源からの電力によって前記ラッチリレーを作動させて前記電気機器の電源回路と前記商用電源との接続を復帰させる回路構成を有しており、前記電気機器と前記操作装置のうち回路内部の電源は前記操作装置のみに前記蓄電タイプの電源として設けられ、前記電気機器は回路内部に電源をもたない回路構成と成していることをもって課題を解決する手段としている。
【０００７】
また、第２の発明は、前記第１の発明の構成に加え、前記電気機器側の通信線接続部は互いに極性が異なり、該極性を判別する極性判別回路と、該極性判別回路によって判別した極性に合わせて前記通信線を通して前記電気機器側に供給する電力の極性を切り替える極性切替回路とが操作装置に設けられていることを特徴とする。
【０００８】
さらに、第３の発明は、前記第１または第２の発明の構成に加え、前記電源復帰回路は、電気機器の商用電源との接続遮断中に、予め定められた設定時刻に蓄電タイプの電源からの電力を前記電気機器に供給して該電気機器の前記商用電源との接続を復帰させる機能と予め定められた設定期間経過毎に前記蓄電タイプの電源からの電力を前記電気機器に供給して該電気機器の前記商用電源との接続を復帰させる機能の少なくとも一方の機能を有することを特徴とする。
【０００９】
さらに、第４の発明は、前記第１または第２または第３の発明の構成に加え、前記電源スイッチは、電気機器の運転のオンオフを操作する運転スイッチと兼用のスイッチにより形成されていることを特徴とする。
【００１０】
さらに、第５の発明は、前記第１乃至第４のいずれか一つの発明の構成に加え、前記電気機器には、手動によるスイッチ操作によってスイッチ回路をオンして電気機器の電源回路と商用電源との接続復帰を行う復帰スイッチが設けられていることを特徴とする。さらに、第６の発明は、前記第１乃至第５のいずれか一つの発明の構成に加え、前記電気機器は内部に管路を有すると共に外部の管路に接続されていて、前記内部の管路と外部の管路の一方または両方の管路内の水の凍結防止運転を行う機能を備え、商用電源と電源回路との接続が遮断されている状態での凍結防止運転の動作時には、操作装置から蓄電タイプの電源の電力が電気機器に供給され前記商用電源と電源回路との接続が復帰されて、前記商用電源の電力によって前記凍結防止運転の動作が行われる構成と成していることを特徴とする。
【発明の効果】
【００１１】
本発明によれば、電気機器は、スイッチ回路を介して商用電源に接続されるが、電気機器には、前記スイッチ回路に接続された電源回路と、電気機器に通信線を介して信号接続される操作装置側から前記スイッチ回路側に加えられる信号に応じてスイッチ回路を作動させ商用電源と電気機器の電源回路との接続と遮断とを行うラッチリレー回路とが設けられており、操作装置の電源スイッチにより電気機器の電源オフ操作を行うといった簡単な操作が行われると、電源オフ操作信号を前記通信線を介して電気機器のラッチリレー回路に加え、該ラッチリレー回路によって電気機器の商用電源との接続を遮断することにより電気機器の待機電力をゼロとすることができる。なお、商用電源と電気機器の電源回路との接続が遮断されているかどうかは、電源遮断検出回路により検出される。
【００１２】
また、操作装置においては、電気機器が商用電源と接続されているときには、電気機器の電源回路と通信線を介して、商用電源の電力が操作装置のバッテリー電源に充電される。そして、電気機器の商用電源との接続遮断中に、操作装置の電源スイッチによって電気機器の電源オン操作が行われたときには、電源復帰回路がバッテリー電源からの電力を電気機器に供給してラッチリレー回路を操作し、電気機器の商用電源との接続を復帰させるので、前記電源スイッチによる電気機器の電源オフ操作により電気機器の商用電源との接続が遮断されていて、電気機器側においては電源が遮断されている状態であっても、操作装置の電源スイッチによる電源オン操作時には、電気機器と商用電源との接続を復帰させることができる。そして、電気機器は商用電源からの電力によって作動可能となり、適宜の動作を開始することができる。
【００１３】
また、電気機器と商用電源との接続が遮断されると操作装置のバッテリー電源は徐々に充電量が減少していくが、操作装置にはバッテリー電源の電圧を検出する電圧検出回路が設けられており、電気機器の商用電源との接続遮断中に、電圧検出手段により検出される前記バッテリー電源の電圧が予め定められた設定値以下に低下したときには、電源復帰回路によって、バッテリー電源からの電力を電気機器に供給して前記ラッチリレー回路を操作し、電気機器の前記商用電源との接続を復帰させるため、この接続復帰によって、商用電源から再びバッテリー電源への充電を行うことができる。
【００１４】
したがって、例えば、この充電が十分に行われたときには、再び電源オフ操作信号を通信線を介して操作装置から電気機器の前記ラッチリレー回路に加え、ラッチリレー回路によって電気機器の電源回路と商用電源との接続を遮断し、その後、再び電圧検出手段により検出されるバッテリー電源の電圧が予め定められた設定値以下に低下したときには、電源復帰回路によって、前記の如く、操作装置のバッテリー電源からの電力によりラッチリレー回路を操作して電気機器の前記商用電源との接続を復帰させる、といった動作を繰り返すことにより、長い間、電源スイッチがオフの状態が継続したとしても、操作装置のバッテリー電源の充電は維持される。
【００１５】
そのため、操作装置の電源スイッチによる電源オン操作時には、バッテリー電源からの電力を電気機器に供給して電気機器と商用電源との接続を復帰し、電気機器が商用電源の電力によって作動可能な状態とすることができる。また、電源スイッチがオフの間、バッテリー電源の充電中以外のときには電気機器と商用電源との接続を遮断して待機電力をゼロにできるので、大幅な待機電力節減を行うことができる。
【００１６】
また、電気機器と操作装置とは、２本の通信線を介して信号接続されるが、通常、熱源器側の通信線接続部の極性は分からないものである（通信線を電気機器に接続するために電気機器に設けられている２つの接続端子の極性は、敷設工事時に決定されるものであり、電気機器の敷設毎に様々である）。そこで、操作装置に電気機器側の通信線接続部の極性を判別する極性判別回路と、該極性判別回路によって判別した極性に合わせて前記通信線を通して前記電気機器側に供給する電力の極性を切り替える極性切替回路とを設け、該極性判別回路によって判別した極性に合わせて極性切り替え回路が極性を切り替えて、電源復帰回路が操作装置のバッテリー電源からの電力を電気機器に供給することにより、電力供給動作を支障なく行うことができ、前記効果を発揮することができる。
【００１７】
さらに、電気機器の商用電源との接続遮断中に、予め定められた設定時刻にバッテリー電源からの電力を前記電気機器に供給して該電気機器の前記商用電源との接続を復帰させる機能と、予め定められた設定期間経過毎にバッテリー電源からの電力を前記電気機器に供給して該電気機器の前記商用電源との接続を復帰させる機能の少なくとも一方の機能を電源復帰回路に設けることにより、以下の効果を奏することができる。
【００１８】
例えば、電気機器の中には、集中管理センターと信号接続されて、電気機器のエネルギー使用量等のデータを集中管理センターに送信する機能を有し、このデータ送信を例えば毎日１２時に行うようにするといったように、設定時刻にデータ送信を行うように定められているものがある。このような電気機器においては、設定時刻において、操作装置の電源スイッチがオフの状態で電気機器の商用電源との接続が遮断されていると、集中管理センターへのデータ送信を行うことができないが、前記のように、設定時刻ごとにバッテリー電源からの電力を電気機器に供給し、該電気機器の前記商用電源との接続を復帰させることにより、設定時刻毎との集中管理センターへのデータ送信を行うことができる。
【００１９】
また、電気機器の設置場所によっては、電気機器内の管路内の水や電気機器に接続されている管路内の水の冬季凍結防止運転を行う装置（例えば熱源装置等）があり、このような装置においては、凍結防止ヒータ動作制御や確認動作を行う必要がある。このような装置においては、予め定められた設定期間経過毎にバッテリー電源からの電力を電気機器に供給し、該電気機器の前記商用電源との接続を復帰させることにより、凍結防止ヒータ動作制御や確認動作を支障なく行うことができる。なお、このような凍結防止運転を行う装置においては、例えば電気機器に外気温度を検出する手段を設けて、その外気温度検出手段によって検出される温度に基づいて、その温度が低いときには設定期間を短くし、外温度が高いときには設定期間を長くすればよい。
【００２０】
さらに、前記電源スイッチを電気機器の運転のオンオフを操作する運転スイッチと兼用のスイッチにより形成することにより、操作装置の簡略化を図ることができ操作システムのコストを安くすることができる。
【００２１】
さらに、電気機器に、手動によるスイッチ操作によってスイッチ回路をオンして電気機器の電源回路と商用電源との接続復帰を行う復帰スイッチを設けることにより、たとえ電源スイッチのオフ操作に応じてラッチリレー回路によりスイッチ回路をオフして商用電源と電気機器の電源回路との接続が遮断された状態で停電になり、スイッチ回路のオフ状態で操作装置のバッテリー電源の充電が無くなってしまっても、復帰スイッチによって電気機器の電源回路と商用電源との接続を復帰できる。したがって、停電等の事態が生じても支障なく電気機器の作動が可能なシステムとすることができる。
【図面の簡単な説明】
【００２２】
【図１】本発明に係る操作システムの一実施例の要部構成を示す模式的な回路構成図である。
【図２】実施例に適用されている極性切替回路の動作例を説明するための回路図である。
【図３】実施例の操作システムの動作フロー例を示す説明図である。
【図４】実施例の操作システムの別の動作フロー例を示す説明図である。
【発明を実施するための形態】
【００２３】
以下、本発明の実施の形態を図面に基づき説明する。
【実施例】
【００２４】
図１には、本発明に係る操作システムの一実施例の制御要部構成が模式的な回路図により示されている。同図に示すように、本実施例の操作システムは、商用電源（ＡＣ）３に接続される電気機器としての給湯器等の熱源機（熱源装置）２７と、操作装置としてのリモコン装置１とを、２本の通信線２（２ａ，２ｂ）を介して接続して形成されている。
【００２５】
熱源機２７には、商用電源３にスイッチ回路４を介して直列接続される電源回路５が設けられており、スイッチ回路４には復帰スイッチ６が並列接続されている。また、熱源機２７には、通信線接続部３０に、コイル４７を介してトランジスタ４８のコレクタ側が接続され、トランジスタ４８のベース側にはマイコン（マイクロコンピュータ）７が接続され、トランジスタ４８のエミッタ側には通信回路８が接続されている。通信回路８は、コンデンサ４２を介して通信線接続部３０に接続され、コンデンサ４３とコイル５０を介して通信線接続部３１に接続されている。なお、通信線接続部３０には、トランジスタ４８と並列に、コイル４６とダイオード４５とが接続されている。
【００２６】
マイコン７には、通信回路８、ラッチリレー回路９、温度検出回路１０、電源回路５、電源遮断検出回路１１が、それぞれ接続されている。ラッチリレー回路９はトランジスタ２９を有し、トランジスタ２９のベース側がマイコン７に接続され、トランジスタ２９のコレクタ側は前記スイッチ回路４と前記電源回路５に接続されている。電源回路５には電源遮断検出回路１１が接続されており、温度検出回路１０には複数のサーミスタ２３が接続されている。また、マイコン７には、熱源機２７の給水や給湯や追い焚き等の管路に取り付けられた凍結予防ヒータ（図示せず）が接続されている。
【００２７】
熱源機２７の通信回路８は、通信線２を介してリモコン装置１と信号の送受信を行う回路である。ラッチリレー回路９は、リモコン装置１側から商用電源３のスイッチ回路４側に加えられる信号（電源のオンオフ信号）に応じ、スイッチ回路４を作動させ、商用電源３と熱源機２７の電源回路５との接続と遮断とを行う回路である。電源遮断検出回路１１は、熱源機２７の電源回路５と商用電源３との接続が遮断されているかどうかを検出する回路である。復帰スイッチ６は、手動によるスイッチ操作によってスイッチ回路４をオンオフするスイッチであり、必要に応じた手動操作に応じ、熱源機２７の電源回路５と商用電源３との接続を復帰させる。
【００２８】
リモコン装置１には、マイコン（マイクロコンピュータ）１２が設けられており、マイコン１２には、運転スイッチ３５、通信回路１３、バッテリー電源１４、電圧検出回路１５、極性判別回路１６、極性切替回路１７、表示部（表示器）１８が接続されている。通信回路１３は、コンデンサ４０，４１と極性切替回路１７を介して通信線接続部３２，３３に接続されており、コンデンサ２８と安定化電源回路４９を有するバッテリー電源１４のマイナス側にも接続されている。
【００２９】
極性切替回路１７は、４つのトランジスタ１９〜２２を有しており、トランジスタ１９，２１は、バッテリー電源１４のプラス（＋）側に、トランジスタ２０，２２は、バッテリー電源１４のマイナス（−）側にそれぞれ接続されている。また、トランジスタ１９，２０は、配線（Ａ）を介してマイコン１２に接続され、トランジスタ２１，２２は、配線（Ｂ）を介してマイコン１２に接続されている。なお、図１の図中、符号４４は整流回路を示す。
【００３０】
リモコン装置１の通信回路１３は、通信線２を介して熱源機２７（の通信回路８）と信号の送受信を行う回路である。運転スイッチ３５は、熱源機２７の電源回路５と商用電源３との接続と遮断とを、熱源機２７のラッチリレー回路９に操作信号を加えて操作する電源スイッチとして機能し、かつ、熱源機２７の運転のオンオフを操作する機能も有する。バッテリー電源１４は、熱源機２７の電源回路５が商用電源３と接続されているときに、該電源回路５から通信線２を介して商用電源３の電力を充電する機能を備えている。電圧検出回路１５は、バッテリー電源１４の電圧を検出する回路である。
【００３１】
極性判別回路１６は、熱源機２７側の通信線接続部３０，３１の極性を判別する回路である。極性切替回路１７は、極性判別回路１６によって判別した極性に合わせて、通信線２を通して熱源機２７側に供給する電力の極性を切り替える回路である。表示部１８は、運転スイッチ３５のオンオフ表示をＬＥＤ（発光ダイオード）によって表示するものであり、運転スイッチ３５のオンのときにはＬＥＤを点灯し、運転スイッチ３５がオフのときにはＬＥＤの点灯を停止する。
【００３２】
本実施例において特徴的な構成の一つは、リモコン装置１の運転スイッチ３５により熱源機２７の電源オフ操作が行われたときに、その電源オフ操作信号を、通信線２を介してリモコン装置１から熱源機２７のラッチリレー回路９に加え、該ラッチリレー回路９によって熱源機２７の電源回路５と商用電源３との接続を遮断することにより、熱源機２７の待機電力をゼロとすることである。つまり、本実施例では、従来の熱源機２７のように、熱源機２７本体の電気プラグをコンセントから抜くといった操作やメカスイッチをオフすると入った操作を行うことなく、リモコン装置１の運転スイッチ３５の電源オフ操作（運転オフ操作）のみで、熱源機２７の待機電力をゼロとすることができる。
【００３３】
また、本実施例において特徴的な構成の二つめは、リモコン装置１の運転スイッチ３５の電源オフ操作による熱源機２７の電源回路５と商用電源３との接続遮断中に、リモコン装置１の運転スイッチ３５による熱源機２７の電源オン操作が行われたときと、リモコン装置１の電圧検出手段１５により検出されるバッテリー電源１４の電圧が予め定められた設定値以下に低下したときには、マイコン１２の制御によって、バッテリー電源１４からの電力を通信線２を介して熱源機２７に供給し、熱源機２７の電源回路５と商用電源３との接続を復帰させる機能を備えた電源復帰回路を有していることであり、この電源復帰回路は、バッテリー電源１４とマイコン１２を有して構成されている。
【００３４】
なお、電源復帰回路によるバッテリー電源１４からの熱源機２７への電力供給は、極性切替回路１７が、極性判別回路１６によって判別した極性に合わせて極性を切り替えて行うものであり、したがって、本実施例において、電源復帰回路は極性切替回路１７も含むものである。つまり、本実施例において、電源復帰回路は、極性切替回路１７によって、通信線接続部３０，３１の極性に合わせて通信線接続部３２，３３側から通信線２に送る電力の極性を切り替え、通信線２を介してバッテリー電源１４からの電力を熱源機２７に供給し、その電力によってラッチリレー回路９を作動させてスイッチ回路４をオンとする。
【００３５】
極性切替回路１７による極性切り替え動作は、以下のようにして行われる。例えば通信線接続部３０側の極性がプラス（＋）で通信線接続部３１側の極性がマイナス（−）であった場合には、図２（ａ）に示すように、マイコン１２の制御により、配線（Ａ）を介してトランジスタ１９，２０をオンすることにより（トランジスタ２１，２２はオフ）、通信線２ａ側をプラス、通信線２ｂ側をマイナスとする。その逆に、通信線接続部３０側の極性がマイナスで通信線接続部３１側の極性がプラスであった場合には、図２（ｂ）に示すように、マイコン１２は、配線（Ｂ）を介してトランジスタ２１，２２をオンすることにより（トランジスタ１９，２０はオフ）、通信線２ａ側をマイナス、通信線２ｂ側をプラスとする。
【００３６】
なお、本実施例において、前記電源復帰回路は、前記のような機能に加え、熱源機２７の商用電源３との接続遮断中に、予め定められた設定時刻にリモコン装置１のバッテリー電源１４からの電力を熱源機２７に供給して熱源機２７の商用電源３との接続を復帰させる機能を有する。つまり、マイコン１２には時計機構が設けられており、この時計機構によって検出される時刻が設定時刻（例えば１２時）になったら、前記と同様にして電源復帰回路はバッテリー電源１４から熱源機２７への電力供給を行い、熱源機２７の商用電源３との接続を復帰する。
【００３７】
このようにすることで、たとえ運転スイッチ３５のオフ操作によって熱源機２７の商用電源との接続が遮断されていても、毎日、例えば１２時には電源復帰回路によるバッテリー電源１４から熱源機２７への電力供給が行われて熱源機２７の商用電源３との接続が復帰されるので、例えば熱源機２７のエネルギー使用量等のデータを、アダプタを介して熱源機２７に接続されている集中管理センターに送信することができる。
【００３８】
また、電源復帰回路は、熱源機２７の商用電源３との接続遮断中に、基準時（例えば熱源機２７の設置時）から予め定められた設定期間経過毎にリモコン装置１のバッテリー電源４からの電力を熱源機２７に供給して熱源機２７の商用電源３との接続を復帰させる機能を有する。つまり、サーミスタ２３の検出信号に基づいて温度検出回路１０が熱源機２７の配設領域の外気温を検出し、この検出温度（外気温）に応じて、例えば外気温が設定閾値温度（例えば７℃）より低くて給水や給湯や追い焚き等の管路の凍結のおそれがある冬等には前記設定期間を３０秒と短く設定し、外温度が前記設定閾値温度よりも高くて給水管の凍結のおそれがないときには前記設定期間を１日としたり７日としたりと、長く設定する。そして、この設定期間経過毎に、前記と同様にして、電源復帰回路はバッテリー電源１４から熱源機２７への電力供給を行い、熱源機２７の商用電源３との接続を復帰させる。
【００３９】
このようにすることで、たとえ運転スイッチ３５のオフ操作によって熱源機２７の商用電源３との接続が遮断されていても、適切なタイミングで、電源復帰回路によるバッテリー電源１４から熱源機２７への電力供給が行われて熱源機２７の商用電源３との接続が復帰されて凍結防止ヒータの作動や動作チェックが行われ、給水や給湯や追い焚き等の管路の凍結防止を行うことができる。なお、前記設定期間の設定方法は、特に限定されるものでなく適宜設定されるものであり、例えばサーミスタ２３を省略し、マイコン７によって検出される冬季間のみ、設定期間を短く設定して熱源機２７の商用電源３との接続を復帰させ、それ以外の季節には設定期間を長く設定して熱源機２７の商用電源３との接続を復帰させるといった制御を行うようにしてもよい。
【００４０】
本実施例は、以上のように構成されており、例えば前記特許文献１に提案されている待機電力遮断装置が、商用電源に接続された電気機器と該機器に無線接続されるリモコン装置との両方にバッテリー電源を内蔵させて、いずれのバッテリー電源も充電しておき、電源スイッチオフの状態で商用電源と電源回路との接続を遮断し、リモコン装置からの起動操作信号に応じて電気機器が電気機器のバッテリー電源の電力を用いて作動するのに対し、本実施例は、２本の通信線２を介して熱源機２７とリモコン装置１とが接続されていることを利用し、リモコン装置１側にのみバッテリー電源１４を設けた簡単な構成で、このバッテリー電源１４の電力を熱源器２７側の電源復帰に利用する前記のような特徴的な構成を有することができる。
【００４１】
図３には、本実施例における動作フローの一例が示されている。同図の範囲Ａ内の矢印に示すように、熱源機２７（電気機器）本体が電源オンの状態において、熱源機２７とリモコン装置１とは、通信回路８，１３により通信線２を介してリモコン通信を行っている。この通信に基づき、例えば熱源機２７は、給湯機能を有している場合、リモコン装置１の運転スイッチ３５がオンの状態で給湯栓が開かれたときに、リモコン装置１に設定されている給湯設定温度の湯を出湯できるように、熱源機２７に設けられたバーナ装置の燃焼制御を行う。また、熱源機２７は、浴槽への自動湯張り機能を有している場合には、リモコン装置１から風呂の湯張り用の自動スイッチがオン操作されたときには、その自動スイッチオン信号が、リモコン装置１の通信回路１３から通信線２を介して熱源機２７の通信回路８に加えられ、熱源機２７は、浴槽に湯張りを行う湯張り動作制御を行う。
【００４２】
なお、熱源機２７の動作や、熱源機２７とリモコン装置１との通信動作は適宜設定されるものであるが、これらの動作は周知であるので、その詳細説明は省略する。
【００４３】
そして、利用者により、リモコン装置１の運転スイッチ（ＳＷ）３５のオフ（ＯＦＦ）操作（運転オフ操作）が行われたとき（運転スイッチ３５がオンの状態のときに、手動によって運転スイッチ３５が押されたとき）には、図３の矢印Ｒ１に示すように、運転オフ情報（運転ＯＮビット＝０の信号）がリモコン装置１の通信回路１３から熱源機２７の通信回路８に送信される。本実施例では、運転オフ信号（運転オフ情報）は、熱源機２７の商用電源３との接続遮断のための電源オフ信号も兼用しているので、リモコン装置１からの運転オフ情報が熱源機２７に加えられると、熱源機２７は、ラッチリレー回路９を作動させてスイッチ回路４をオフし、電源回路５や図示されていない負荷への電源接続と、商用電源３との接続を遮断（ＡＣ１００Ｖ遮断）する。この動作によって、熱源機２７の待機電力はゼロとなる。なお、このように、リモコン装置１から熱源機２７に「運転オフ情報」を送るが、熱源機２７は、その信号で電源をオフさせるため、実質的に運転のオフ信号は意味を成さなくなるが、オン信号との整合性をとるために、このようにした。
【００４４】
また、このように、電源回路５と商用電源３との接続を遮断すると、そのままでは熱源機２７側の回路を作動させることができないので、この時点では、リモコン装置１のバッテリー電源１４からの電力を熱源機２７に供給している。そして、電源遮断検出回路１１により、電源回路５と商用電源３との接続が遮断されているかどうかを検知し、電源回路５と商用電源３との接続が遮断されていることが検知されたら、矢印Ｎ１に示すように、電源オフ情報（ＡＣ１００Ｖ遮断ビット＝１の信号）を、熱源機２７からリモコン装置１に送信する。リモコン装置１は、この熱源機２７からの電源オフ情報を受信したら、熱源機２７への電力供給を停止し、また、リモコン装置１の表示部１８のＬＥＤの点灯を停止することによって、運転オフを表示する。
【００４５】
その後、熱源機２７の回路動作は停止することになり（つまり、リモコン装置１との通信も行えなくなり）、図１の（Ｅ）で示すリモコン装置１の回路部分（通信回路１３、マイコン１２、運転スイッチ３５、表示部１８、バッテリー電源１４、電圧検出回路１５）のみが作動可能な状態で、運転スイッチ３５のオン操作が行われるまで待機することになる。
【００４６】
なお、この待機中に、リモコン装置１の電圧検出回路１５によって、バッテリー電源１４の電圧が前記設定値以下に低下したことが検出されたときには、前記電源復帰回路によって、まず、バッテリー電源１４から熱源機２７への電力供給を、通信線２を介して（極性切替回路１７による切替によって、通信線接続部３０，３１に極性に合わせた極性で）開始し、熱源機２７の通信回路８を作動可能とする（リモコン通信の復帰）。
【００４７】
そうすると、熱源機２７は、矢印Ｎ２に示すように、リモコン通信復帰の確認信号をリモコン装置１に送信する。リモコン装置１は、この確認信号を受けたら、矢印Ｒ２に示すように、リモコン装置１のバッテリー電源１４を充電するための要求（充電要求ビット＝１）を送信し、ラッチリレー回路９を作動させてスイッチ回路４をオンとし、熱源機２７の電源回路５と商用電源３との接続を復帰させる。そうすると、矢印Ｎ３に示すように、熱源機２７からリモコン装置１に充電開始信号が送信されると共に、リモコン装置１のバッテリー電源１４は、商用電源３の電力を電源回路５と通信線２とを介して充電開始する。
【００４８】
そして、バッテリー電源１４の充電が完了したら、リモコン装置１は、図３の矢印Ｒ３に示すように、充電要求停止要求（充電要求ビット＝０）を熱源機２７に送信する。熱源機２７は、この信号を受けて、ラッチリレー回路９を作動させてスイッチ回路４をオフし、電源回路５と商用電源３との接続を遮断し、前記と同様に、リモコン装置１のバッテリー電源１４からの電力により、電源遮断検出回路１１が電源回路５と商用電源３との接続遮断を検知したら、矢印Ｎ４に示すように、電源オフ情報（ＡＣ１００Ｖ遮断ビット＝１の信号）をリモコン装置１に送信する。
【００４９】
リモコン装置１は、熱源機２７からの電源オフ情報を受信したら、熱源機２７への電力供給を停止する。それにより、熱源機２７の回路動作は停止し、再び、運転スイッチ３５のオン操作が行われるまで待機する。また、この待機中に、リモコン装置１の電圧検出回路１５によって、バッテリー電源１４の電圧が前記設定値以下に低下したことが検出されたときには、前記と同様の動作を繰り返し行うことになる。
【００５０】
また、運転スイッチ（ＳＷ）３５のオン（ＯＮ）操作が行われると、バッテリー電源１４から熱源機２７への電力供給を、前記と同様に通信線２を介して開始し、熱源機２７の通信回路８を作動可能とし（リモコン通信の復帰）、熱源機２７から、矢印Ｎ５に示すように、リモコン通信復帰の確認信号をリモコン装置１に送信する。リモコン装置１は、この確認信号を受けたら、矢印Ｒ４に示すように、運転ＯＮビット＝１の信号（電源回路５のオン要求ビットであり、かつ、運転オン要求も含む信号）を送信し、ラッチリレー回路９を作動させてスイッチ回路４をオンとし、熱源機２７の電源回路５と商用電源３との接続を復帰させる。そうすると、矢印Ｎ６に示すように、熱源機２７からリモコン装置１にＡＣ１００Ｖ復帰の確認信号が送信されるので、リモコン装置１から熱源機２７への電力供給は停止し、表示部１８のＬＥＤを点灯させることによって、運転オンを表示する。その後、リモコン通信が継続される。
【００５１】
また、図４（ａ）に示されるように、熱源機２７の商用電源３との接続遮断中に、予め定められた設定時刻（例えば１２時）になったら、リモコン装置１のバッテリー電源１４からの電力を熱源機２７に供給し、熱源機２７の通信回路８を作動可能として、図４の矢印Ｎ７に示すように、熱源機２７からリモコン通信復帰の確認信号をリモコン装置１に送信する。そして、リモコン装置１は、この確認信号を受けたら、矢印Ｒ５に示すように、電源ＯＮビット＝１の信号（電源回路５のオン要求ビット）を送信し、ラッチリレー回路９を作動させてスイッチ回路４をオンとし、熱源機２７の電源回路５と商用電源３との接続を復帰させる。熱源機２７は、矢印Ｎ８に示すように、この接続復帰の確認信号をリモコン装置１に送信し、リモコン装置１は、この確認信号を受けて、熱源機２７への電力供給を停止する（なお、この場合、表示部１８のＬＥＤ点灯は停止のまま（消灯のまま）でよい）。
【００５２】
そして、熱源機２７の電源回路５と商用電源３との接続復帰によって、例えば熱源機２７から中央管理センターへのデータ送信が行われたら、その確認信号を熱源機２７からリモコン装置１に送信し、リモコン装置１は、その確認信号を受けて終了信号を熱源機２７側に送信し、再びラッチリレー回路９を作動させてスイッチ回路４をオフし、電源回路５と商用電源３との接続を遮断する。この接続遮断後は、前記と同様の動作を行う。
【００５３】
また、図４（ｂ）に示されるように、熱源機２７の商用電源３との接続遮断中に、基準時から予め定められた設定期間経過毎に、リモコン装置１のバッテリー電源１４からの電力を熱源機２７に供給し、熱源機２７の通信回路８を作動可能として、図４の矢印Ｎ１１に示すように、熱源機２７からリモコン通信復帰の確認信号をリモコン装置１に送信する。そして、リモコン装置１は、この確認信号を受けたら、矢印Ｒ１１に示すように、電源ＯＮビット＝１の信号（電源回路５のオン要求ビット）を送信し、ラッチリレー回路９を作動させてスイッチ回路４をオンとし、熱源機２７の電源回路５と商用電源３との接続を復帰させる。熱源機２７は、矢印Ｎ１２に示すように、この接続復帰の確認信号をリモコン装置１に送信し、リモコン装置１は、この確認信号を受けて、熱源機２７への電力供給を停止する（なお、この場合も、表示部１８のＬＥＤ点灯は停止のまま（消灯のまま）でよい）。
【００５４】
そして、熱源機２７の電源回路５と商用電源３との接続復帰によって、例えば凍結防止ヒータの作動や動作チェックが行われたら、その作動停止または動作チェック後に、その確認信号を熱源機２７からリモコン装置１に送信し、リモコン装置１からの終了信号によって再びラッチリレー回路９を作動させてスイッチ回路４をオフし、電源回路５と商用電源３との接続を遮断する。この接続遮断後は、前記と同様の動作を行う。
【００５５】
なお、本発明は前記実施例に限定されることなく、様々な実施の形態を採り得る。例えば、前記実施例では、図３の矢印Ｒ２で充電要求ビット＝１を送信し、図３の矢印Ｒ４で運転ＯＮビット＝１を送信し、充電要求ビットと運転ＯＮビットとを区別するようにしたが、これらはいずれも熱源機２７の電源回路５と商用電源３との接続を復帰する信号であることに変わりない（電源回路５と商用電源３との接続を復帰して、それにより、リモコン装置１のバッテリー電源１４を充電できるようにする、または、熱源機２７を運転可能状態とするものである）ため、前記のような区別を行わずに、いずれも、電源ＯＮビット＝１の信号（電源回路５のオンビット）とし、運転ＯＮビット＝１（運転オン情報）は別に送信してもよい。また、同様に、図３の矢印Ｒ１では、運転ＯＮビット＝０を送信し、図３の矢印Ｒ３では、充電要求ビット＝０を送信して区別したが、これらはいずれも熱源機２７の電源回路５と商用電源３との接続を遮断する信号であることに変わりないため、前記のような区別を行わずに、いずれも、電源ＯＮビット＝０の信号（電源回路５のオフビット）とし、運転ＯＮビット＝０（運転オフ情報）は別に送信してもよい。
【００５６】
また、前記実施例では、運転スイッチ３５が、熱源機２７の商用電源３との接続と遮断とをラッチリレー回路９に操作信号を加えて操作する電源スイッチと兼用したが、このような機能を有する電源スイッチを運転スイッチ３５とは別個に設けてもよい。
【００５７】
また、前記実施例では、電源復帰回路は、熱源機２７の商用電源３との接続遮断中に、予め定められた設定時刻にリモコン装置１のバッテリー電源４からの電力を熱源機２７に供給して熱源機２７の商用電源３との接続を復帰させる機能と、熱源機２７の商用電源３との接続遮断中に、予め定められた設定期間経過毎にリモコン装置１のバッテリー電源４からの電力を熱源機２７に供給して熱源機２７の商用電源３との接続を復帰させる機能とを有していたが、これらの機能の一方のみを有していてもよいし、これらの機能は省略することもできる。つまり、例えば設定時刻に集中管理センターへのデータ送信を行う機能を有していない場合には、設定時刻に熱源機２７と商用電源３との接続を復帰させなくてもよいし、凍結防止が不要な地域では、凍結防止用ヒータを作動させたり、動作チェックしたりるために設定期間経過毎に熱源機２７と商用電源３との接続を復帰させなくてもよい。
【００５８】
さらに、前記実施例では、熱源機２７にラッチリレー回路９を設けたが、ラッチリレー回路９の代わりに、ラッチリレー回路９と同様の機能を有する回路を半導体等を用いて形成して設けてもよい。
【００５９】
さらに、前記実施例でリモコン装置１に設けたバッテリー電源の代わりに、商用電源３と電気機器の電源回路５とが接続されているときに電源回路５と通信線２とを介して商用電源３の電力を充電する機能を備えたコンデンサ等を設けてもよい。この場合、バッテリー電源の代わりに設けたコンデンサ等の電圧を検出する電圧検出回路をリモコン装置１等の操作装置に設け、該電圧検出手段により検出されるコンデンサ等の電圧が予め定められた設定値以下に低下したときには、電源復帰回路が、コンデンサ等から電力を電気機器に供給して該電気機器の前記電源回路と前記商用電源との接続を復帰させるようにする。
【００６０】
さらに、熱源機２７の通信線接続部３０，３１の極性が予め分かっていて、その極性に合わせてリモコン装置１側から熱源機２７側への電力供給を行える場合には、極性判断回路１６や極性切替回路１７は省略することができる。
【００６１】
さらに、前記実施例では、熱源機２７とリモコン装置１とを接続したシステムとしたが、本発明は、熱源機２７以外でも、商用電源３に接続されている電気機器と、その操作装置とが２本の通信線を介して接続されている操作システムに適用することができる。
【産業上の利用可能性】
【００６２】
本発明の操作システムは、簡単な構成で待機電力削減を図ることができるので、電気機器と該電気機器に通信線を介して接続される操作装置を備えた、家庭用や業務用の様々な操作システムに利用できる。
【符号の説明】
【００６３】
１        リモコン装置
２        通信線
３        商用電源
４        スイッチ回路
５        電源回路
６        復帰スイッチ
７，１２  マイクロコンピュータ
８，１３  通信回路
１４      バッテリー電源
１５      電圧検出回路
１６      極性判別回路
１７      極性切替回路
１８      表示部
２７      熱源機
３０〜３３  通信線接続部
３１    報知設定手段
３２    表示画面
３５    運転スイッチ
【図１】
0005865627.tif 000002
【図２】
0005865627.tif 000003
【図３】
0005865627.tif 000004
【図４】
0005865627.tif 000005